(57)【要約】【課題】検査対象リレーの接点の最小動作電圧を確認することにより正確な良否判定を可能にしたリレー点検装置を提供すること。【解決手段】検査対象のリレーを装着するリレー装着部４と、リレー装着部４に装着されたリレーＲＬに電圧を供給する電源部５と、リレーの接点の動作を検出する動作検出部６と、電源部５の電圧を変化させるとともに、動作検出部６からの検出信号に基づいて接点の最小動作電圧を確認する制御手段７とを備える。【選択図】図１
2010080093.tif 000002
【特許請求の範囲】
【請求項１】
検査対象のリレーを装着するリレー装着部と、
前記リレー装着部に装着されたリレーに電圧を供給する電源部と、
前記リレーの接点の動作を検出する動作検出部と、
前記電源部の電圧を変化させるとともに、前記動作検出部からの検出信号に基づいて前記接点の最小動作電圧を確認する制御手段と、
前記制御手段により確認された最小動作電圧を表示する表示部とを備えたことを特徴とするリレー点検装置。
【請求項２】
前記表示部は、ディスプレイ表示手段および印字媒体への印字手段を備えていることを特徴とする請求項１記載のリレー点検装置。
【発明の詳細な説明】
【技術分野】
【０００１】
本発明は、例えば電力機器に使用される補助リレーの動作特性を測定するのに利用されるリレー点検装置に関する。
【背景技術】
【０００２】
従来、制御盤から抜脱した継電器（リレー）を装着する継電器端子台に発光ダイオードを備え、この発光ダイオードの点滅により継電器の良否を判定する継電器検査装置がある（特許文献１）。
【０００３】
また、被測定対象の継電器に負荷電流を供給して測定条件を与え、その後負荷電流に代えて、被測定対象に精密な電源から測定電流の供給処理をするようにした継電器の接触抵抗の測定装置がある（特許文献２）。
【０００４】
【特許文献１】特開２００３−３０８７７１号公報
【特許文献２】特開平５−２５６８８６号公報
【発明の開示】
【発明が解決しようとする課題】
【０００５】
一般に、電力機器等の補助リレーの検査業務は、検査対象リレーを実際に動作させ、その開閉接点の抵抗測定を行うことによりそのリレーの良否判定を行っているが、正確な判定を下すためにはリレーごとに異なる最小動作電圧を知っておく必要がある。
【０００６】
特許文献１に記載されている継電器検査装置では接点の良否のみの判定であり、特許文献２に記載されている接触抵抗の測定装置では接点の接触抵抗の測定のみの判定であり、いずれもリレーごとに異なる最小動作電圧を測定することはできないという問題があった。
【０００７】
本発明の目的は、検査対象リレーの接点の最小動作電圧を確認することにより正確な良否判定を可能にしたリレー点検装置を提供するにある。
【課題を解決するための手段】
【０００８】
本発明者は、検査対象リレーに可変電圧を供給しつつ実際に動作させ、その開閉接点の動作検出を行い、リレーごとに異なる最小動作電圧を自動的に確認し得ることを見出し、これに基づいて、以下のような新たなリレー点検装置を発明するに至った。
【０００９】
（１）  検査対象のリレーを装着するリレー装着部と、前記リレー装着部に装着されたリレーに電圧を供給する電源部と、前記リレーの接点の動作を検出する動作検出部と、前記電源部の電圧を変化させるとともに、前記動作検出部からの検出信号に基づいて前記接点の最小動作電圧を確認する制御手段と、前記制御手段により確認された最小動作電圧を表示する表示部とを備えたことを特徴とするリレー点検装置。
【００１０】
（１）記載のリレー点検装置によれば、リレーに供給する電源部の電圧を変化させながらリレー接点の動作を動作検出部で検出し、接点が動作したときの最小動作電圧を確認することができ、かつリレーごとの最小動作電圧が表示部に表示されるので、検査対象リレーの劣化傾向が一目で確認することが可能となる。
【００１１】
（２）  前記表示部は、ディスプレイ表示手段および印字媒体への印字手段を備えていることを特徴とする（１）記載のリレー点検装置。
【００１２】
（２）記載のリレー点検装置によれば、測定結果がディスプレイのほか紙などの印字媒体でも印字表示することができる。
【発明の効果】
【００１３】
本発明によれば、検査対象リレーの接点の最小動作電圧を確認することができ、正確な良否判定を可能で、かつ検査対象リレーごとの劣化傾向管理が可能となる。
【発明を実施するための最良の形態】
【００１４】
以下、本発明の実施形態について図面を参照して説明する。図１は、本発明の実施形態によるリレー点検装置のブロック図である。
【００１５】
図１に示すように、リレー点検装置１０は、リレー操作部１と、リレー検査部２と、検査装置制御部３とを備えている。リレー操作部１は、検査対象のリレーＲＬ（図２参照）を装着するリレー装着部（ソケット部）４と、リレー用電源部５を備えている。リレー検査部２は、リレーの動作を検出する動作検出部６を備えている。検査装置制御部３は、制御部７および表示部８を備えている。制御部７は、リレー用電源部５を制御してリレーに印加する電圧を可変制御するとともに、動作検出部６の検出信号を受けて表示部８に当該リレーの接点の最小動作電圧を表示させる制御を行うものである。表示部８は、図示のようなディスプレイのほか、印字出力により紙などにも印刷できるようになっている。
【００１６】
図１は、本発明の実施形態によるリレー点検装置の斜視図である。本実施形態のリレー点検装置は、装置本体１１と、表示部８と、操作盤１４とを備え、装置本体１０の前面に、図３に示すようなソケット端子１６Ｍ、１６Ｂ、ソケット端子１６Ｌを有するリレー装着部（ソケット部）４が設けられ、このソケット端子を介してリレー装着部４に検査対象のリレーＲＬが装着されるようになっている。装置本体内１０には上記したリレー検査部２、電源部５、制御部７が内蔵されている。
【００１７】
図３は、本発明のリレー点検装置の実施形態を示す回路図であって、リレーを装着していない状態示している。
【００１８】
図３において、リレーＲＬは、リレーコイルＬ、メーク接点Ｍおよびブレーク接点Ｂを備え、それぞれにリレーコイル端子１５Ｌ、メーク接点端子１５Ｍ、ブレーク接点端子１５Ｂが設けられている。リレー点検装置１０には、接点通電用電源１２およびリレー用電源５が設けられている。接点通電用電源１２は、動作検出部１３を介して上記メーク接点端子１５Ｍ、ブレーク接点端子１５Ｂに対応するソケット端子１６Ｍ、１６Ｂに接続され、リレー用電源はリレーコイル端子１５Ｌに対応するソケット端子１６Ｌに接続されている。制御部７はリレー用電源７およびには表示部８に接続されるとともに、メーンスイッチ１８を介して動作検出部６に接続されている。
【００１９】
図４は、リレーＲＬを装着した状態を示している。図２に示すように、装着部４に検査用のリレーＲＬを装着すると、リレーコイル端子１５Ｌ、メーク接点端子１５Ｍおよびブレーク接点端子１５Ｂのそれぞれが、対応するソケット端子１６Ｌ、１６Ｍおよび１６Ｂに接続される。
【００２０】
最初、リレー用電源５の電圧を０に設定しておき、リレー用電源５のメーンスイッチ１８をオンにする。この状態で操作盤１４により制御部７を操作し、リレー用電源５の電圧を徐々に高くしていく。このときメーク接点Ｍの閉じる動作（同時にブレーク接点Ｂが開く）を動作検出部６により検出している。メーク接点Ｍが最初に動作（オン）したときの電圧、すなわち、メーク接点Ｍの最小動作電圧が動作検出部６により検出されると、検出結果を表示部８に表示し、あるいは紙に印刷するようになっている。
【００２１】
上記実施形態では、検査対象リレーが１個の場合について説明したが、装着部４を複数個設け、リレー用電源５を検査対象リレーごとに切換えていくようにすることにより、複数のリレーを検査することも可能である。また、上記実施形態では、メーク接点Ｍの動作の検出について説明したが、ブレーク接点の最小動作電圧を検出することも可能である。
【図面の簡単な説明】
【００２２】
【図１】本発明の実施形態によるリレー点検装置のブロック図である。
【図２】本発明の実施形態によるリレー点検装置の斜視図である。
【図３】本発明の実施形態によるリレー点検装置のリレー装着前の回路図である。
【図４】本発明の実施形態によるリレー点検装置のリレー装着後の回路図である。
【符号の説明】
【００２３】
４  リレー装着部
５  電源部
６  動作検出部
７  制御部
８  表示部
【図１】
2010080093.tif 000003
【図２】
2010080093.tif 000004
【図３】
2010080093.tif 000005
【図４】
2010080093.tif 000006